(57)【要約】【課題】放送される番組を効率的に記録する。【解決手段】制御部１は、データ分離部６がチューナ５の受信データから分離抽出したＥＰＧ（電子番組ガイド）情報を取得し、ジャンル分類対応テーブル２０２を参照して記録対象の番組のジャンルの属する分類が音楽、ミックス、トークなど予め設定した分類のいずれに属するかを判定する。そして、記録品質定義テーブル２０１から番組の属する分類の記録品質を求め、オーディオコーデック１２に設定する。オーディオコーデック１２は、音声デコード部７がデコードした記録対象番組のオーディオデータを、設定された記録品質で圧縮符号化し、ハードディスクドライブ２に記録する。【選択図】図１
2004047005.tif 000002
【特許請求の範囲】
【請求項１】
オーディオデータを取得するオーディオデータ取得手段と、
前記オーディオデータのジャンルを表すジャンル情報を取得するジャンル情報取得手段と、
圧縮符号化されたオーディオデータを記録する記憶媒体と、
オーディオデータ取得手段が取得したオーディオデータを圧縮符号化する、圧縮率が可変な圧縮符号化手段と、
前記圧縮符号化手段が圧縮符号化したオーディオデータを前記記憶媒体に記録する記録処理手段と、
前記ジャンル情報取得手段が取得したジャンル情報が表す、前記圧縮符号化手段が圧縮符号化するオーディオデータのジャンルに応じて、前記圧縮符号化手段における圧縮率を切替える記録品質制御手段とを有することを特徴とするオーディオ記録装置。
【請求項２】
オーディオデータを放送するオーディオ放送を受信するオーディオ放送受信手段と、
前記オーディオ放送で放送される各番組の放送時間と各番組が属するジャンルについての情報を少なくとも含む電子的な番組ガイドである電子番組ガイドを取得する電子番組ガイド取得手段と、
圧縮符号化されたオーディオデータを記録する記憶媒体と、
オーディオ放送受信手段が受信したオーディオデータを圧縮符号化する、圧縮率が可変な圧縮符号化手段と、
前記圧縮符号化手段が圧縮符号化したオーディオデータを前記記憶媒体に記録する記録処理手段と、
前記電子番組ガイド取得手段が取得した電子番組ガイドが表す、前記圧縮符号化手段が圧縮符号化するオーディオデータの属する番組のジャンルに応じて、前記圧縮符号化手段における圧縮率を切替える記録品質制御手段とを有することを特徴とするオーディオ放送受信装置。
【請求項３】
請求項２記載のオーディオ放送受信装置であって、
前記電子番組ガイド取得手段が取得した電子番組ガイドに基づいて前記オーディオ放送の番組表を表示する番組表表示手段と、
ユーザから、前記番組表表示手段が表示した前記番組表を用いた記録対象番組の指定を受け付ける記録番組受付手段と、
前記記録番組受付手段が受け付けた番組のオーディオデータを、前記圧縮符号化手段が圧縮符号化するオーディオデータとする記録制御手段とを有することを特徴とするオーディオ放送受信装置。
【請求項４】
オーディオデータとオーディオデータの属するジャンルを表すジャンル情報とを放送するオーディオ放送を受信するオーディオ放送受信手段と、
圧縮符号化されたオーディオデータを記録する記憶媒体と、
オーディオ放送受信手段が受信したオーディオデータを圧縮符号化する、圧縮率が可変な圧縮符号化手段と、
前記圧縮符号化手段が圧縮符号化したオーディオデータを前記記憶媒体に記録する記録処理手段と、
前記オーディオ放送受信手段が受信した前記ジャンル情報が表す、前記圧縮符号化手段が圧縮符号化するオーディオデータの属するジャンルに応じて、前記圧縮符号化手段における圧縮率を切替える記録品質制御手段とを有することを特徴とするオーディオ放送受信装置。
【請求項５】
請求項２、３または４記載のオーディオ放送受信装置であって、
前記ジャンルは、音楽と音楽以外の少なくとも一つのジャンルを含み、前記記録品質制御手段は、前記圧縮符号化手段が圧縮符号化するオーディオデータに対応するジャンルが音楽である場合に、ジャンルに応じて切り替えられる複数の圧縮率のうちの最も低い圧縮率に前記圧縮符号化手段におけるオーディオデータの圧縮率を切替えることを特徴とするオーディオ放送受信装置。
【請求項６】
請求項２、３、４または５記載のオーディオ放送受信装置であって、
前記ジャンルと圧縮率の対応を記述した記録品質テーブルと、
前記記録品質テーブルの前記ジャンルと圧縮率の対応を、ユーザ操作に応じて編集する編集手段とを有し、
前記記録品質制御手段は、前記圧縮符号化手段が圧縮符号化するオーディオデータの属するジャンルに前記記録品質テーブルで対応づけられた圧縮率に、前記圧縮符号化手段における圧縮率を切替えることを特徴とするオーディオ放送受信装置。
【請求項７】
ビデオとオーディオとの少なくとも一方を含むコンテンツのデータであるコンテンツデータの記憶媒体への記録品質を制御する記録品質制御方法であって、
コンテンツデータを取得するステップと、
前記コンテンツデータのジャンルを表すジャンル情報を取得するステップと、
複数の記録品質のうちの、取得したジャンル情報が表すコンテンツデータのジャンルに応じて定まる記録品質に、当該コンテンツデータの記録品質を設定するステップと
取得したコンテンツデータを、設定された記録品質を実現する圧縮率で圧縮符号化するステップと、
圧縮符号化したオーディオデータを前記記憶媒体に記録するステップとを有することを特徴とする記録品質制御方法。
【請求項８】
ビデオとオーディオとの少なくとも一方を含む番組のデータである番組データの記憶媒体への記録品質を制御する記録品質制御方法であって、
前記番組データの放送を受信するステップと、
前記放送される各番組の放送時間と各番組が属するジャンルについての情報を少なくとも含む電子的な番組ガイドである電子番組ガイドを取得するステップと、
複数の記録品質のうちの前記電子番組ガイド取得手段が取得した電子番組ガイドが表す、記録する番組データの番組のジャンルに応じて定まる記録品質に、当該番組データの記録品質を設定するステップと、
前記放送受信手段が受信した番組データを、設定された記録品質を実現する圧縮率で圧縮符号化するステップと、
圧縮符号化したオーディオデータを前記記憶媒体に記録するステップとを有することを特徴とする記録品質制御方法。
【請求項９】
コンピュータによって読み取られ実行されるコンピュータプログラムであって、
前記コンピュータプログラムは前記コンピュータに、
ビデオとオーディオとの少なくとも一方を含むコンテンツのデータであるコンテンツデータを取得するステップと、
前記コンテンツデータのジャンルを表すジャンル情報を取得するステップと、
複数の記録品質のうちの取得したジャンル情報が表すコンテンツデータのジャンルに応じて定まる記録品質に、当該コンテンツデータの記録品質を設定するステップと
取得したコンテンツデータを、設定された記録品質を実現する圧縮率で圧縮符号化するステップと、
圧縮符号化したオーディオデータを前記記憶媒体に記録するステップとを実行させることを特徴とするコンピュータプログラム。
【請求項１０】
コンピュータによって読み取られ実行されるコンピュータプログラムであって、
前記コンピュータプログラムは前記コンピュータに、
ビデオとオーディオとの少なくとも一方を含む番組のデータである番組データの放送を受信するステップと、
前記放送される各番組の放送時間と各番組が属するジャンルについての情報を少なくとも含む電子的な番組ガイドである電子番組ガイドを取得するステップと、
複数の記録品質のうちの前記電子番組ガイド取得手段が取得した電子番組ガイドが表す、記録する番組データの番組のジャンルに応じて定まる記録品質に、当該番組データの記録品質を設定するステップと、
前記放送受信手段が受信した番組データを、設定された記録品質を実現する圧縮率で圧縮符号化するステップと、
圧縮符号化したオーディオデータを前記記憶媒体に記録するステップとを実行させることを特徴とするコンピュータプログラム。
【請求項１１】
請求項９または１０記載のコンピュータプログラムを記録していることを特徴とする、コンピュータ読み取り可能な記録媒体。
【発明の詳細な説明】
【０００１】
【発明の属する技術分野】
本発明は、オーディオデータを記録するオーディオ記録装置において、記録するオーディオデータの品質を制御する技術に関するものである。
【０００２】
【従来の技術】
オーディオデータを記録するオーディオ記録装置としては、従来より、オーディオデータの記憶媒体としてＭＤやオーディオテープなどを用いるオーディオ記録装置が知られている。また、近年では、ハードディスクなどの大容量記憶媒体にオーディオデータを記録するオーディオ記録装置も知られている。
【０００３】
また、このようなオーディオ記録装置としては、オーディオデータを所定の圧縮符号化法により所定の圧縮率で圧縮符号化して記録するものが知られている。
【０００４】
【発明が解決しようとする課題】
さて、通常、オーディオデータの圧縮率とオーディオデータの品質は反比例するため、記録するオーディオデータの品質とオーディオデータの記録に用いられる記録資源量とはトレードオフの関係にあり、高品質でオーディオデータを記録すれば記憶媒体の記憶容量の消費量は大きくなり、記憶媒体の記憶容量の消費量を小さく抑えるためには記録するオーディオデータの品質を低く抑えざるを得ない。
【０００５】
一方で、ユーザがオーディオデータに要求する品質は、必ずしも全てのオーディオデータについて同じではない。すなわち、一般的なユーザは、音楽等のその音自体に価値があるものには高い品質を求めるが、ニュース音声などの伝えられる情報の内容に価値があるものに対しては、その音声品質がさほど高い品質でなくても許容することが多い。
【０００６】
このため、前記従来のオーディオデータを所定の圧縮率で圧縮符号化して記録するオーディオ記録装置よれば、低品質でオーディオデータを記録するようにした場合には、ユーザが高品質を望むオーディオデータについて不充分な記録品質によってしかオーディオデータが記録されないという問題が生じ、逆に、高品質でオーディオデータを記録するようにした場合には、ユーザが高品質を必要としないオーディオデータについて過剰な記録品質による記憶媒体の記憶容量の浪費が生じることになる。
【０００７】
そこで、本発明は、オーディオ記録装置において、オーディオデータの記録品質と記憶媒体の記憶容量の消費量との関係を適正化することを課題とする。
【０００８】
【課題を解決するための手段】
前記課題達成のために、本発明は、たとえば、オーディオデータを取得するオーディオデータ取得手段と、前記オーディオデータのジャンルを表すジャンル情報を取得するジャンル情報取得手段と、圧縮符号化されたオーディオデータを記録する記憶媒体と、オーディオデータ取得手段が取得したオーディオデータを圧縮符号化する、圧縮率が可変な圧縮符号化手段と、前記圧縮符号化手段が圧縮符号化したオーディオデータを前記記憶媒体に記録する記録処理手段と、前記ジャンル情報取得手段が取得したジャンル情報が表す、前記圧縮符号化手段が圧縮符号化するオーディオデータのジャンルに応じて、前記圧縮符号化手段における圧縮率を切替える記録品質制御手段とを有することを特徴とするオーディオ記録装置を提供する。
【０００９】
このようなオーディオ記録装置によれば、オーディオデータの属するジャンル毎に、そのジャンルに応じた適当な圧縮率で各オーディオデータを記録することができる。したがって、ユーザが音質を重要と考えるジャンルのオーディオデータについてはユーザが満足するように高い記録品質で記録しつつ、音質が比較的重要でないと考える他のジャンルのオーディオデータについては比較的低い記録品質で記録することにより、オーディオデータの記録による記憶容量の消費を抑えることができるようになる。
【００１０】
また、本発明は、前記課題達成のためのオーディオ放送受信装置としては、オーディオデータを放送するオーディオ放送を受信するオーディオ放送受信手段と、前記オーディオ放送で放送される各番組の放送時間と各番組が属するジャンルについての情報を少なくとも含む電子的な番組ガイドである電子番組ガイドを取得する電子番組ガイド取得手段と、圧縮符号化されたオーディオデータを記録する記憶媒体と、オーディオ放送受信手段が受信したオーディオデータを圧縮符号化する、圧縮率が可変な圧縮符号化手段と、前記圧縮符号化手段が圧縮符号化したオーディオデータを前記記憶媒体に記録する記録処理手段と、前記電子番組ガイド取得手段が取得した電子番組ガイドが表す、前記圧縮符号化手段が圧縮符号化するオーディオデータの属する番組のジャンルに応じて、前記圧縮符号化手段における圧縮率を切替える記録品質制御手段とを有することを特徴とするオーディオ放送受信装置を提供する。
【００１１】
また、本発明は、前記課題達成のための他のオーディオ放送受信装置として、オーディオデータとオーディオデータの属するジャンルを表すジャンル情報とを放送するオーディオ放送を受信するオーディオ放送受信手段と、圧縮符号化されたオーディオデータを記録する記憶媒体と、オーディオ放送受信手段が受信したオーディオデータを圧縮符号化する、圧縮率が可変な圧縮符号化手段と、前記圧縮符号化手段が圧縮符号化したオーディオデータを前記記憶媒体に記録する記録処理手段と、前記オーディオ放送受信手段が受信した前記ジャンル情報が表す、前記圧縮符号化手段が圧縮符号化するオーディオデータの属するジャンルに応じて、前記圧縮符号化手段における圧縮率を切替える記録品質制御手段とを有することを特徴とするオーディオ放送受信装置を提供する。
【００１２】
これらのオーディオ放送受信装置によれば、電子番組ガイドやオーディオデータと共に放送されるジャンル情報を用いて、オーディオデータの属するジャンル毎に適当な圧縮率で各オーディオデータを記録することができる。したがって、ユーザが音質を重要と考えるジャンルのオーディオデータについてはユーザが満足するように高い記録品質で記録しつつ、音質が比較的重要でないと考える他のジャンルのオーディオデータについては比較的低い記録品質で記録することにより、オーディオデータの記録による記憶容量の消費を抑えることができるようになる。
【００１３】
ここで、これらのオーディオ放送受信装置においては、前記ジャンルとして、音楽と音楽以外の少なくとも一つのジャンルを設け、前記記録品質制御手段が、前記圧縮符号化手段が圧縮符号化するオーディオデータに対応するジャンルが音楽である場合に、ジャンルに応じて切り替えられる複数の圧縮率のうちの最も低い圧縮率に前記圧縮符号化手段におけるオーディオデータの圧縮率を切替えるようにすることも好ましい。このようにすることにより、最も音質が重要なファクターとなる音楽のオーディオデータについてはユーザが満足するように高い記録品質で記録しつつ、音質が比較的重要なファクターとならない他のジャンルのオーディオデータについては比較的低い記録品質で記録することにより、オーディオデータの記録による記憶容量の消費を抑えることができるようになる。
【００１４】
また、前記ジャンルと圧縮率の対応を記述した記録品質テーブルと、この記録品質テーブルの前記ジャンルと圧縮率の対応をユーザ操作に応じて編集する編集手段とを設け、前記記録品質制御手段において、前記圧縮符号化手段が圧縮符号化するオーディオデータの属するジャンルに対して前記記録品質テーブルで対応づけられた圧縮率に、前記圧縮符号化手段における圧縮率を切替えるようにしてもよい。
【００１５】
このようにすることにより、ユーザは自身の好みに応じて、ジャンルと当該ジャンルのオーディオデータを記録する記録品質の対応を設定、変更等することが可能とする。
なお、以上の各装置は、たとえば、オーディオデータに代えてビデオとオーディオとの少なくとも一方を含むコンテンツのデータや番組データを記録の対象とするものとしても良く、この場合には、コンテンツデータや番組データのジャンルに応じて圧縮率を定め、これらコンテンツデータや番組データを圧縮符号化し記録するようにすればよい。
【００１６】
【発明の実施の形態】
以下、本発明の実施形態について、デジタルオーディオ放送受信機で受信したオーディオデータを記録するシステムへの適用を例にとり説明する。
図１に、本実施形態に係るデジタルオーディオ放送受信機の構成を示す。
図示するように、デジタルオーディオ放送受信機は、制御部１、ハードディスクドライブ２、メモリ３、アンテナ４、チューナ５、データ分離部６、音声デコード部７、出力セレクタ８、Ｄ／Ａ変換器９、アンプ１０、スピーカ１１、オーディオコーデック１２、操作部１３、表示制御部１４、表示部１５等を備えている。
【００１７】
そして、チューナ５は、アンテナ４で受信した放送波から所望の周波数成分を取り出して中間周波数信号に変換して出力するフロントエンド部５１と、中間周波数信号に対して直交復調処理、デインタリーブ処理、多重化復調、誤り訂正などの放送方式に応じた処理を行って放送のペイロードデータを復元するベースバンド処理部５２とを有する。
【００１８】
また、ハードディスクドライブ２には、記録品質定義テーブル２０１、ジャンル分類対応テーブル２０２、記録予約テーブル２０３、ジャンル抽出情報２０４、ＥＰＧ情報２０５、オーディオファイル２０６が記録される。
なお、図１において、図中の太線はオーディオデータの経路を示し、細線は制御系の情報、信号の経路を示している。また、チューナ５、データ分離部６は、複数のチャネルを並列に処理することができるように構成されている。
ただし、以上のデジタルオーディオ放送受信機は、チューナ機能を電子計算機に付加するチューナカードなどが接続された、一般的な電子計算機を用いて構成するようにしてもよく、この場合において、以上の制御部１や、オーディオコーデック１２や、出力セレクタ８や、音声デコード部７や、データ分離部６などの少なくとも一部は、電子計算機がプログラムを実行することにより具現化するプロセスとして実現されるものであってもよい。また、この場合に、当該プログラムは、このプログラムを記録した記録媒体から、電子計算機に供給されるものであってよい。
【００１９】
ここで、本実施形態において、デジタルオーディオ放送受信機が受信の対象とするデジタルオーディオ放送について説明する。
デジタルオーディオ放送受信機は、異なる複数の放送システムによるデジタル放送を受信の対象とする。
【００２０】
そして、本実施形態において受信の対象とする複数の放送システムは、たとえば図２に示すようにメッセージ情報をオーディオデータと共に放送する放送システムと、たとえば図３に示すようにＥＰＧ（電子番組ガイド）データをオーディオデータと共に放送する放送システムを含む。
【００２１】
図２に示した放送システムでは、図２ａに示すように各チャネルでパケットの列を伝送する。各パケットは、図２ｂに示すようにメッセージ情報とオーディオデータとを含む。また、オーディオデータはデータ圧縮された形態で格納されている。一方、メッセージ情報は、そのチャネルで放送中のオーディオデータが形成するコンテンツの情報を示すコンテンツ情報を含み、コンテンツ情報には、放送中のオーディオデータが形成するコンテンツの音楽、ニュースなどのジャンルを示すコンテンツジャンルや、その他のコンテンツ情報が含まれる。
【００２２】
一方、図３に示した放送システムでも、図示するように各チャネルでパケットの列を伝送するが、チャネルとしては、コンテンツ放送用のチャネルの他、一つのデータ放送用のチャネルが設けられている。コンテンツ放送用のチャネルの各パケットには、オーディオデータがデータ圧縮された形態で格納されている。一方、データ放送用のチャネルのパケットには、ＥＰＧデータが格納される。ＥＰＧデータは、各コンテンツ放送用のチャネルで放送される番組の情報を表すデータであり、ＥＰＧデータの集合によって、一定期間分の番組表が作成できるようになっている。すなわち、たとえば、一つの番組に対応するＥＰＧデータは、図示するように、その番組を放送する放送局名、その番組が放送されるチャネルのチャネル番号、その番組の放送開始日時と終了日時、その番組が属する音楽、ニュースなどのジャンル、その番組のタイトルや、その他の番組情報を含む。
【００２３】
なお、本実施形態においてデジタルオーディオ放送受信機が受信対象とする放送システムは、このようなＥＰＧデータを、データ放送用のチャネルで伝送するのではなく、コンテンツ用の各チャネルでオーディオデータと時分割多重化して伝送するような放送システムであってもかまわない。また、本実施形態においてデジタルオーディオ放送受信機が受信対象とする放送システムは、このようなＥＰＧデータとメッセージ情報との双方を放送するような放送システムであってもかまわない。
【００２４】
さて、図１に戻り、デジタルオーディオ放送受信機の通常の受信出力動作は、以下のようになる。
すなわち、チューナ５は出力対象チャネルを受信し、出力対象チャネルのペイロードを復調し、データ分離部６に出力する。データ分離部６は、チューナ５から受け取った各チャネルのペイロードデータから、ＥＰＧデータやメッセージ情報などの情報データを抽出し、制御部１に出力する。また、データ分離部６は、チューナ５から受け取った出力対象チャネルのペイロードデータからオーディオデータを抽出し、音声デコード部７に出力する。
【００２５】
音声デコード部７は、出力対象チャネルのオーディオデータを復号し、これを出力セレクタ８に出力し、出力セレクタ８は、音声デコード部７から入力されるオーディオデータを選択し、Ｄ／Ａ変換器９に出力する。そして、Ｄ／Ａ変換器９は出力セレクタ８を介して入力されるオーディオデータをアナログ信号に変換して、アンプ１０を介してスピーカ１１に出力する。
【００２６】
一方、制御部１は、データ分離部６から送られた情報データを利用して、メモリ３を使用しながら、出力対象チャネルのメッセージ情報が示す情報などを表示部１５に表示する処理や、操作部１３からの操作に応じて出力対象チャネルを切り替える処理などを行う。
【００２７】
以下、このようなデジタルオーディオ放送受信機におけるオーディオデータ記録動作について説明する。
さて、前述したように、ハードディスクドライブ２には、記録品質定義テーブル２０１、ジャンル分類対応テーブル２０２、記録予約テーブル２０３、ジャンル抽出情報２０４、ＥＰＧ情報２０５、オーディオファイル２０６が記録される。
【００２８】
このうち、オーディオファイル２０６は、デジタルオーディオ放送から受信したオーディオデータを圧縮符号化して格納したファイルである。また、ＥＰＧ情報２０５は各放送システム毎に放送システムから受信したＥＰＧ情報２０５を格納したものであり、制御部１は、随時、チューナ５、データ分離部６を制御して、各放送システムのＥＰＧデータを受け取りＥＰＧ情報２０５を更新する処理を行う。
【００２９】
そして、ジャンル抽出情報２０４は各放送システム毎に当該放送システムで放送されるオーディオデータのジャンルをどのように抽出するかを記述した情報であり、たとえば、図２に示すようなメッセージ情報を送信する放送システムに対しては、その放送システムがメッセージ情報を放送するものであって、そのメッセージ情報のコンテンツジャンルからオーディオデータのジャンルを抽出すべきことが記述される。また、図３に示すようなＥＰＧデータを送信する放送システムに対しては、その放送システムがＥＰＧデータを放送するものであって、そのＥＰＧデータのジャンルからオーディオデータのジャンルを抽出すべきことが記述される。
【００３０】
次に、記録品質定義テーブル２０１は、たとえば、図４ａに示すように、オーディオデータの音楽、ミックス、トークの３分類のオーディオデータをオーディオファイル２０６として記録する際に適用するサンプリング周波数とビットレートを予め記述したものである。そして、ジャンル分類対応テーブル２０２は、図４ｂに示すように、各放送システム毎に、その放送システムで用いるメッセージ情報のコンテンツジャンルまたはＥＰＧデータのジャンルの名称と、記録品質定義テーブル２０１で規定した音楽、ミックス、トークの３分類との対応を予め記述したものである。図示するように、本実施形態では音楽中心の番組やコンテンツのジャンルを分類音楽とし、ニュースやスポーツなどの話声中心の番組やコンテンツのジャンルを分類トークとし、音楽と話声が併用されると予想される映画やドラマなどの番組やコンテンツのジャンルを分類ミックスとしている。そして、トーク、ミックス、音楽の順に記録品質が良くなるように、各分類に対応するサンプリング周波数とビットレートを定義している。
【００３１】
ここで、この記録品質定義テーブル２０１における分類とサンプリング周波数とビットレートの対応と、ジャンル分類対応テーブル２０２のコンテンツジャンルまたはＥＰＧデータのジャンルと分類との対応は、ユーザが任意に編集可能とするようにしてもよい。また、このような編集は、たとえば、制御部１が、ユーザからの操作部１３を介した編集要求に応じて、図４に示すような記録品質定義テーブル２０１やジャンル分類対応テーブル２０２をハードディスクドライブ２から読み出して、その内容の表示を含めた編集画面を表示制御部１４を介して表示部１５に表示し、この表示画面上でユーザからの操作部１３を介した各テーブル内容の編集を受け付けて、各テーブルを編集し、編集後の内容でハードディスクドライブ２上の記録品質定義テーブル２０１やジャンル分類対応テーブル２０２を更新することにより行うことができる。
【００３２】
最後に、記録予約テーブル２０３は、ユーザから受け付けたオーディオデータの記録の予約内容を登録するテーブルである。この記録予約テーブル２０３の詳細について、後に詳述する。
さて、制御部１は、オーディオデータの記録に関して、ユーザよりオーディオデータの記録の予約を受け付ける記録予約受付処理、受け付けた記録予約に従ってオーディオデータの記録を実行する記録予約実行処理、ユーザよりオーディオデータの記録の指示を受け付けてオーディオデータの記録を実行する即時記録処理の３つの処理を行う。
【００３３】
以下、これらの各処理について説明する。
まず、記録予約受付処理について説明する。
図５に、記録予約受付処理の手順を示す。
図示するように、この処理では、ユーザによる操作部１３を介した記録予約要求の入力を監視し（ステップ５０２）、記録予約要求が入力されたならば、たとえば、図６ａに示すような放送システム選択画面表示を表示制御部１４を介して表示部１５に表示し（ステップ５０４）、記録を予約するオーディオデータを放送する放送システムの選択を受け付ける。そして、放送システムの選択を受け付けたならば（ステップ５０６）、選択を受け付けた放送システムがＥＰＧデータを放送する放送システムであるかどうかを、ジャンル抽出情報２０４を参照して判定し（ステップ５０８）、ＥＰＧデータを放送する放送システムでなければ、たとえば、図６ｂに示すような予約設定画面を表示する（ステップ５２２）。そして、予約設定画面上で、記録を予約するオーディオデータを放送するチャネルのチャネル番号と記録開始日時と終了日時の設定を受け付け（ステップ５２４）、ステップ５０６で受け付けた放送システムの識別と、予約設定画面で受け付けたチャネル番号と記録開始日時と記録終了日時を含めた予約データを生成し（ステップ５２６）、記録予約テーブル２０３に登録する（ステップ５２０）。そして、ステップ５０２に戻り、次の記録予約要求の入力を監視する。
【００３４】
一方、ステップ５０８で、選択を受け付けた放送システムがＥＰＧデータを放送する放送システムであった場合には、まず、その放送システムのＥＰＧ情報２０５を取得する（ステップ５１０）。また、取得したＥＰＧ情報２０５より、その放送システムの番組表を生成し（ステップ５１２）、たとえば、図６ｃに示すような番組表画面を、表示制御部１４を介して表示部１５に表示する（ステップ５１６）。
【００３５】
そして、番組表画面上で記録を予約する番組の指定を受け付けたならば（ステップ５１６）、受け付けた番組のＥＰＧデータより、受け付けた番組が放送されるチャネル番号と放送開始日時と放送終了日時とジャンルとタイトルを取得し、ジャンル分類対応テーブル２０２を参照し、取得したジャンルに対応する分類を抽出する。また、放送開始日時と放送終了日時とを記録開始日時と記録終了日時とし、タイトルと記録開始日時を連結した文字列を記録タイトルとし、これらを、ステップ５０６で受け付けた放送システムの識別と、抽出した分類と共に含めた予約データを生成し（ステップ５１８）、記録予約テーブル２０３に登録する（ステップ５２０）。そして、ステップ５０２に戻り、次の記録予約要求の入力を監視する。
【００３６】
ここで、図７に以上の記録予約受付処理によって予約データが登録された記録予約テーブル２０３の例を示す。
図示するように、記録予約テーブル２０３には、記録開始日時と記録終了日時と放送システムとチャネル番号と分類と記録タイトルの項目を有する予約データを複数登録することができる。そして、ＥＰＧデータを放送する放送システムが放送する番組を対象とする予約データには、分類と記録タイトルが設定される。一方、ＥＰＧデータを放送しない放送システムが放送するオーディオデータを対象とする予約データには、分類と記録タイトルは設定されない。
【００３７】
以上、記録予約受付処理について説明した。
次に、記録予約実行処理について説明する。
図８ａに、記録予約実行処理の手順を示す。
図示するように、この処理では、記録予約テーブル２０３に記録開始日時が現在日時と一致する予約データが存在するかどうかを調べ（ステップ８０２）、存在する場合には、その予約データを処理対象として記録処理を起動し（ステップ８０４）、以後この処理を繰り返す。
【００３８】
そして、図８ｂに示すように、ステップ８０４で起動される記録処理では、まず、処理対象の予約データに記述された放送システムの予約データに記述されたチャネル番号のチャネルを記録対象チャネルに設定し、チューナ５に記録対象チャネルの受信を指示し、データ分離部６に記録対象チャネルのオーディオデータを音声デコード部７に出力させ、音声デコード部７に記録対象チャネルのオーディオデータのデコードと、デコードしたオーディオデータのオーディオコーデック１２への転送を行わせる（ステップ８５０）。
【００３９】
そして、予約データに分類が設定されているかどうかを調べ（ステップ８５２）、設定されていれば、記録品質テーブルを参照して設定されている分類に対応するサンプリング周波数とビットレートを求めて、オーディオコーデック１２に設定し、オーディオコーデック１２に対して設定されたサンプリング周波数とビットレートによる圧縮符号化を開始させ、ハードディスクドライブ２に対して予約データに記述された記録タイトルをファイル名として設定したオーディオファイル２０６を生成させ、生成したオーディオファイル２０６には、オーディオコーデック１２が圧縮符号化したオーディオデータを格納していく（ステップ８５４）。ここで、オーディオコーデック１２は、ＭＰ３（ＭＰＥＧ１　Ａｕｄｉｏ　Ｌａｙｅｒ　３）やその他の圧縮率可変な圧縮符号化法によるオーディオデータの符号化と復号を行うものである。
【００４０】
さて、制御部１は、この後、現在日時が処理対象の予約データの記録終了日時となったならば（ステップ８５６）、オーディオデータのオーディオファイル２０６への格納を終了し（ステップ８５８）、処理対象予約データを記録予約テーブル２０３から削除し（ステップ８６０）処理を終了する。
【００４１】
一方、ステップ８５２において、予約データに分類が設定されていなかった場合には、データ分離部６から、記録対象チャネルのメッセージ情報のコンテンツジャンルを取得する（ステップ８６２）。そして、コンテンツジャンルを取得できたならば（ステップ８６４）、ジャンル分類対応テーブル２０２を参照して取得したコンテンツジャンルに対応する分類を求めると共に、記録品質テーブルを参照して求めた分類に対応するサンプリング周波数とビットレートを求めて、オーディオコーデック１２に設定し、オーディオコーデック１２に対して設定されたサンプリング周波数とビットレートによる圧縮符号化を開始させ、ハードディスクドライブ２には、予約データの放送システムとチャネル番号と記録開示日時とを連結した文字列などをファイル名として設定したオーディオファイル２０６を生成し、生成したオーディオファイル２０６に、オーディオコーデック１２が圧縮符号化したオーディオデータを格納していく（ステップ８６６）。
【００４２】
そして、現在日時が処理対象の予約データの記録終了日時となったならば（ステップ８５６）、オーディオデータのオーディオファイル２０６への格納を終了し（ステップ８５８）、処理対象予約データを記録予約テーブル２０３から削除し（ステップ８６０）処理を終了する。
【００４３】
また、もし、ステップ８６４においてメッセージ情報のコンテンツジャンルを取得できなかった場合には、記録品質テーブルを参照して分類ミックスに対応するサンプリング周波数とビットレートを求めてオーディオコーデック１２に設定し、オーディオコーデック１２に対して設定されたサンプリング周波数とビットレートによる圧縮符号化を開始させ、ハードディスクドライブ２には、予約データの放送システムとチャネル番号と記録開示日時とを連結した文字列などをファイル名として設定したオーディオファイル２０６を生成し、生成したオーディオファイル２０６には、オーディオコーデック１２が圧縮符号化したオーディオデータを格納していく（ステップ８６８）。
【００４４】
そして、現在日時が処理対象の予約データの記録終了日時となったならば（ステップ８５６）、オーディオデータのオーディオファイル２０６への格納を終了し（ステップ８５８）、処理対象予約データを記録予約テーブル２０３から削除し（ステップ８６０）処理を終了する。
【００４５】
以上、記録予約実行処理について説明した。
なお、以上の記録予約受付処理と記録予約実行処理は、前述した通常の受信出力動作と並行して行われるバックグランド処理である。
以下、即時記録処理について説明する。
図９に即時記録処理の手順を示す。
図示するように、この処理では、ユーザによる操作部１３を介した記録要求の入力を監視し（ステップ９０２）、記録要求が入力されたならば、音声コーデックに出力対象チャネルのデコードしたオーディオデータをオーディオコーデック１２にも転送させる（ステップ９０４）。また、現在の出力対象としている放送システムとチャネルの識別を取得し（ステップ９０６）、出力対象としている放送システムがＥＰＧデータを放送する放送システムであるかどうかを、ジャンル抽出情報２０４を参照して判定する（ステップ９０８）。
【００４６】
そして、ＥＰＧデータを放送する放送システムであれば、その放送システムのＥＰＧ情報２０５を取得する（ステップ９１０）。そして、取得したＥＰＧ情報２０５より、現在出力中の番組のジャンルとタイトルを抽出する。そして、ジャンル分類テーブルを参照して抽出したジャンルに対応する分類を求め、求めた分類に対応するサンプリング周波数とビットレートを求め、オーディオコーデック１２に設定し、オーディオコーデック１２に対して設定されたサンプリング周波数とビットレートによる圧縮符号化を開始させ、ハードディスクドライブ２には、抽出したタイトルと現在日時とを連結した文字列をファイル名として設定したオーディオファイル２０６を生成し、生成したオーディオファイル２０６には、オーディオコーデック１２が圧縮符号化したオーディオデータを格納していく（ステップ９１２）。
【００４７】
一方、ステップ９０８で、ＥＰＧデータを放送する放送システムでないと判定された場合には、データ分離部６から、出力対象チャネルのメッセージ情報のコンテンツジャンルを取得する（ステップ９２０）。そして、コンテンツジャンルを取得できたならば（ステップ９２２）、ジャンル分類対応テーブル２０２を参照して取得したコンテンツジャンルに対応する分類を求めると共に、記録品質テーブルを参照して求めた分類に対応するサンプリング周波数とビットレートを求めて、オーディオコーデック１２に設定し、オーディオコーデック１２に対して設定されたサンプリング周波数とビットレートによる圧縮符号化を開始させ、ハードディスクドライブ２には、出力中の放送システムとチャネル番号と現在日時とを連結した文字列などをファイル名として設定したオーディオファイル２０６を生成し、生成したオーディオファイル２０６には、オーディオコーデック１２が圧縮符号化したオーディオデータを格納していく（ステップ９２４）。
【００４８】
また、もし、ステップ９２２で、メッセージ情報のコンテンツジャンルを取得できなかった場合には、記録品質テーブルを参照して分類ミックスに対応するサンプリング周波数とビットレートを求めてオーディオコーデック１２に設定し、オーディオコーデック１２に対して設定されたサンプリング周波数とビットレートによる圧縮符号化を開始させ、ハードディスクドライブ２には、出力中の放送システムとチャネル番号と記録開示日時とを連結した文字列などをファイル名として設定したオーディオファイル２０６を生成し、生成したオーディオファイル２０６には、オーディオコーデック１２が圧縮符号化したオーディオデータを格納していく（ステップ９２６）。
【００４９】
そして、操作部１３を介してユーザから記録終了の指示が入力されたならば（ステップ９１６）、オーディオデータのオーディオファイル２０６への格納を終了し（ステップ９１８）、ステップ９０２に戻り次の記録要求の入力を監視する。一方、記録終了の指示が入力される前に、操作部１３を介してユーザから出力対象チャネルの切替が指示されたならば（ステップ９１４）、オーディオデータのオーディオファイル２０６への格納を終了し（ステップ９２８）、前記通常受信出力動作においてチューナ５、データ分離部６に、出力対象チャネルを切替を指示し、ステップ９０６からの処理を繰り返す。
【００５０】
以上、即時実行処理について説明した。
さて、以上のようにしてハードディスクドライブ２に記録された各オーディオファイル２０６は、ユーザの指示に応じて随時再生する。
すなわち、制御部１は、ユーザから操作部１３を介してオーディオファイル一覧表示の指示を受け付けると、ハードディスクドライブ２に記録されているオーディオファイル２０６のファイル名の一覧表を含めたファイル一覧表示画面を表示制御部１４を介して表示部１５に表示し、表示画面上で再生するオーディオファイル２０６の指定を受け付ける。そして、指定を受け付けたオーディオファイル２０６に格納されたオーディオデータをハードディスクドライブ２から読み出して、オーディオコーデック１２に供給して復号化させると共に、出力セレクタ８にオーディオコーデック１２の出力オーディオデータを選択出力せる。オーディオコーデック１２で復号されたオーディオデータは出力セレクタ８を介して、Ｄ／Ａ変換器９に出力されてアナログ信号に変換され、アンプ１０よりスピーカ１１に出力される。
【００５１】
以上、本発明の実施形態について説明した。
なお、以上の実施形態においては、一例としてデジタルオーディオ放送受信機への適用を例にとり説明したが、以上のようなオーディオデータの内容についてのジャンルに応じて、オーディオデータの記録品質を制御する技術は、オーディオデータのジャンルを取得可能な任意のオーディオ記録装置において同様に適用可能である。
また、以上では、ハードディスクドライブ２をオーディオデータを記録する記録媒体として用いたが、オーディオデータを記録する記録媒体としては、カード形状やスティック形状の可搬型の半導体記憶装置や、ＲＡＭなどの半導体記憶素子や、ＭＤその他の可搬型のディスク状の記憶媒体など、任意の記憶媒体を用いることができる。
【００５２】
また、以上のデジタルオーディオ放送受信機は、前述したＥＰＧデータを、オーディオデータが放送されるデジタルオーディオ放送ではなくインターネットなど他の通信路を介して取得するものであってもよく、また、オーディオデータ自身もインターネットを介して取得するものであって良い。
【００５３】
また、以上のデジタルオーディオ放送受信機における放送コンテンツのジャンルに応じて、コンテンツの記録品質を制御する技術は、オーディオデータ以外のコンテンツを受信する場合にも同様に適用可能である。たとえば、テレビ放送を受信する受信機において、番組のジャンルに応じて、当該番組コンテンツのビデオデータとオーディオデータの少なくとも一方の記録品質を切替ながら、その記録を行うようにすることもできる。
【００５４】
【発明の効果】
以上のように、本発明によれば、オーディオ記録装置において、オーディオデータの記録品質と記憶媒体の記憶容量の消費量との関係を適正化することができる。
【図面の簡単な説明】
【図１】本発明の実施形態に係るデジタルオーディオ放送受信機の構成を示すブロック図である。
【図２】本発明の実施形態に係るデジタルオーディオ放送受信機が対象とするデジタルオーディオ放送の放送フォーマットの一例を示す図である。
【図３】本発明の実施形態に係るデジタルオーディオ放送受信機が対象とするデジタルオーディオ放送の放送フォーマットの一例を示す図である。
【図４】本発明の実施形態で用いる記録品質定義テーブルとジャンル分類対応テーブルの内容を示す図である。
【図５】本発明の実施形態に係る記録予約受付処理の手順を示すフローチャートである。
【図６】本発明の実施形態に係るデジタルオーディオ放送受信機の表示画面例を示す図である。
【図７】本発明の実施形態に係る記録予約テーブルの内容を示す図である。
【図８】本発明の実施形態に係る記録予約実行処理の手順を示すフローチャートである。
【図９】本発明の実施形態に係る即時記録処理の手順を示すフローチャートである。
【符号の説明】
１：制御部、２：ハードディスクドライブ、３：メモリ、４：アンテナ、５：チューナ、６：データ分離部、７：音声デコード部、８：出力セレクタ、９：Ｄ／Ａ変換器、１０：アンプ、１１：スピーカ、１２：オーディオコーデック、１３：操作部、１４：表示制御部、１５：表示部、１６：制御部、５１：フロントエンド部、５２：ベースバンド処理部、２０１：記録品質定義テーブル、２０２：ジャンル分類対応テーブル、２０３：記録予約テーブル、２０４：ジャンル抽出情報、２０５：ＥＰＧ情報、２０６：オーディオファイル。
【図１】
2004047005.tif 000003
【図２】
2004047005.tif 000004
【図３】
2004047005.tif 000005
【図４】
2004047005.tif 000006
【図５】
2004047005.tif 000007
【図６】
2004047005.tif 000008
【図７】
2004047005.tif 000009
【図８】
2004047005.tif 000010
【図９】
2004047005.tif 000011